【手続補正書】
【提出日】平成23年7月19日(2011.7.19)
【手続補正１】
【補正対象書類名】特許請求の範囲
【補正対象項目名】請求項１
【補正方法】変更
【補正の内容】
【請求項１】
凝集剤を含有すると共に溶媒として水溶性高沸点溶媒を含む処理液を印刷用コート紙上に付与する処理液付与工程と、
前記印刷用コート紙に付与された処理液を乾燥する処理液乾燥工程と、
前記処理液が乾燥された印刷用コート紙上に、該処理液によって凝集するインクの液滴を打滴して画像を形成するインク打滴工程と、を備え、
前記処理液として、前記水溶性高沸点溶媒の濃度が８〜２５質量％の範囲内であるものを使用すると共に、前記処理液が付与される前記印刷用コート紙として、該処理液に対するコッブ吸水度が１０秒で８〜２２ｇ／ｍ２の範囲内であるものを使用することを特徴とするインクジェット記録方法。
【手続補正２】
【補正対象書類名】特許請求の範囲
【補正対象項目名】請求項４
【補正方法】変更
【補正の内容】
【請求項４】
凝集剤を含有すると共に溶媒として水溶性高沸点溶媒を８〜２５質量％含む処理液を貯蔵する処理液貯蔵部と、
前記処理液に対するコッブ吸水度が１０秒において８〜２２ｇ／ｍ２の範囲内にある印刷用コート紙を搬送ライン上に供給する給紙部と、
前記供給された印刷用コート紙上に前記処理液貯蔵部に貯蔵された処理液を付与する処理液付与部と、
前記印刷用コート紙に付与された処理液を乾燥する処理液乾燥部と、
前記処理液が乾燥された印刷用コート紙上に、前記処理液によって凝集するインクの液滴を打滴して画像を形成するインク打滴部と、を備えたことを特徴とするインクジェット記録装置。
【手続補正３】
【補正対象書類名】明細書
【補正対象項目名】００１５
【補正方法】変更
【補正の内容】
【００１５】
本発明の請求項１は前記目的を達成するために、凝集剤を含有すると共に溶媒として水溶性高沸点溶媒を含む処理液を印刷用コート紙上に付与する処理液付与工程と、前記印刷用コート紙に付与された処理液を乾燥する処理液乾燥工程と、前記処理液が乾燥された印刷用コート紙上に、該処理液によって凝集するインクの液滴を打滴して画像を形成するインク打滴工程と、を備え、前記処理液として、前記水溶性高沸点溶媒の濃度が８〜２５質量％の範囲内であるものを使用すると共に、前記処理液が付与される前記印刷用コート紙として、該処理液に対するコッブ吸水度が１０秒で８〜２２ｇ／ｍ２の範囲内であるものを使用することを特徴とするインクジェット記録方法を提供する。
【手続補正４】
【補正対象書類名】明細書
【補正対象項目名】００１６
【補正方法】変更
【補正の内容】
【００１６】
本発明の請求項１によれば、処理液として、ＨＢＳの濃度が８〜２５質量％の範囲内であるものを使用すると共に、処理液が付与される印刷用コート紙として、該処理液に対するコッブ吸水度が１０秒で８〜２２ｇ／ｍ２の範囲内であるものを使用するようにしたので、２液凝集方式のインクジェット記録方法において、ＨＢＳを含有する処理液を印刷用コート紙に付与する場合であっても、ＨＢＳのメリットを維持しながら、画像収縮問題、レジストレーション問題、及び紙浮き問題を解決することができる。なお、処理液のＨＢＳの濃度が１０〜２０質量％の範囲内であるものを使用し、印刷用コート紙のコッブ吸水度が１０〜２０ｇ／ｍ２の範囲内であるものを使用することが更に好ましい。
【手続補正５】
【補正対象書類名】明細書
【補正対象項目名】００１８
【補正方法】変更
【補正の内容】
【００１８】
本発明の請求項４は前記目的を達成するために、凝集剤を含有すると共に溶媒として水溶性高沸点溶媒を８〜２５質量％含む処理液を貯蔵する処理液貯蔵部と、前記処理液に対するコッブ吸水度が１０秒において８〜２２ｇ／ｍ２の範囲内にある印刷用コート紙を搬送ライン上に供給する給紙部と、前記供給された印刷用コート紙上に前記処理液貯蔵部に貯蔵された処理液を付与する処理液付与部と、前記印刷用コート紙に付与された処理液を乾燥する処理液乾燥部と、前記処理液が乾燥された印刷用コート紙上に、該記処理液によって凝集するインクの液滴を打滴して画像を形成するインク打滴部と、を備えたことを特徴とするインクジェット記録装置を提供する。
【手続補正６】
【補正対象書類名】明細書
【補正対象項目名】００１９
【補正方法】変更
【補正の内容】
【００１９】
本発明の請求項４は、装置発明として構成したものである。本発明の請求項４によれば、凝集剤を含有すると共に水溶性高沸点溶媒を８〜２５質量％含む処理液を貯蔵する処理液貯蔵部と、処理液に対するコッブ吸水度が１０秒において８〜２２ｇ／ｍ２の範囲内にある印刷用コート紙を搬送ライン上に供給する給紙部と、を設けたので、２液凝集方式のインクジェット記録装置において、ＨＢＳを含有する処理液を印刷用コート紙に付与する場合であっても、ＨＢＳのメリットを維持しながら、画像収縮問題、レジストレーション問題、及び紙浮き問題を解決することができる。ここで、ＨＢＳのメリットとは、従来技術で説明した処理液の液物性の安定化や固着防止である。なお、処理液貯蔵部には、ＨＢＳの濃度が１０〜２０質量％の範囲内であるものを貯蔵することが更に好ましい。また、給紙部からはコッブ吸水度が１０秒において１０〜２０ｇ／ｍ２の範囲内にある印刷用コート紙を搬送ライン上に供給することが更に好ましい。
【手続補正７】
【補正対象書類名】明細書
【補正対象項目名】００２３
【補正方法】変更
【補正の内容】
【００２３】
また、コッブ（ｃｏｂｂ）吸水度とはコッブサイズ度とも称し、ＪＩＳ  Ｐ８１４０に基づいた吸水度であり、本発明では処理液に対する印刷用コート紙の１０秒後における吸水度を言う。
【手続補正８】
【補正対象書類名】明細書
【補正対象項目名】００９４
【補正方法】変更
【補正の内容】
【００９４】
また、処理液の２５℃での粘度は、０．５〜３．５ｍｌ／ｍ２の範囲で塗布を安定に行なう観点から、１．２ｍＰａ・ｓ以上１５．０ｍＰａ・ｓ以下であることが好ましく、より好ましくは２ｍＰａ・ｓ以上１２ｍＰａ・ｓ以下であり、更に好ましくは２ｍＰａ・ｓ以上８ｍＰａ・ｓ以下である。特に、水性処理液を紙上に塗布する場合は、粘度（２５℃）は２〜８ｍＰａ・ｓが好ましく、２〜６ｍＰａ・ｓがより好ましい。粘度は、ＶＩＳＣＯＭＥＴＥＲＴＶ−２２（ＴＯＫＩ ＳＡＮＧＹＯ ＣＯ．ＬＴＤ製）を用い、水性処理液を２５℃の条件下で測定されるものである。
［印刷用コート紙］
本発明に用いられる印刷用コート紙としては、上述した処理液に対するコッブ吸水度が１０秒で８〜２２ｇ／ｍ２（更に好ましくは１０〜２０ｇ／ｍ２）の範囲内であるものを使用する。
【手続補正９】
【補正対象書類名】明細書
【補正対象項目名】０１０６
【補正方法】変更
【補正の内容】
【０１０６】
インクジェット記録装置１００は、主として、処理液に対するコッブ吸水度が１０秒で８〜２２ｇ／ｍ２（更に好ましくは１０〜２０ｇ／ｍ２）の範囲内である上述の印刷用コート紙１１４を搬送ラインに供給する給紙部１０２と、印刷用コート紙１１４に処理液を付与する処理液付与部１０６と、印刷用コート紙１１４に色インクを打滴するインク打滴部（印字部）１０８と、印刷用コート紙１１４上に形成された画像を定着させる定着部１１０と、画像が形成された印刷用コート紙１１４を搬送して排出する排紙部１１２とを備えて構成される。なお、本実施の形態では、印刷用コート紙１１４の搬送ラインは、下記に述べる圧胴及び渡し胴からなるドラム搬送方式によって構成される。
【手続補正１０】
【補正対象書類名】明細書
【補正対象項目名】０１８０
【補正方法】変更
【補正の内容】
【０１８０】
図５は、画像収縮、表示レジ、紙浮きが発生するメカニズムを模式的に示したものである。図５（Ａ）の処理液付与工程において、印刷用コート紙１１４に処理液を付与すると印刷用コート紙１１４の内部に処理液（主に水）が浸透する。この場合、印刷用コート紙１１４のコッブ吸水度が高過ぎると、原紙層（支持体層）への処理液（主に水）の浸透量が多くなり紙繊維の膨潤が強く発生する。これにより、印刷用コート紙１１４の水平方向の伸縮が発生し、印刷用コート紙１１４に図６に示すように皺ができるために紙浮きが発生する。
【手続補正１１】
【補正対象書類名】明細書
【補正対象項目名】０１８１
【補正方法】変更
【補正の内容】
【０１８１】
また、図５（Ｂ）の処理液乾燥工程において、処理液中の水分が蒸発してＨＢＳが印刷用コート紙１１４の内部に浸透する。この場合、印刷用コート紙１１４のコッブ吸水度が低過ぎると、ＨＢＳが印刷用コート紙１１４の表面に残存し易くなる。
【手続補正１２】
【補正対象書類名】明細書
【補正対象項目名】０１８４
【補正方法】変更
【補正の内容】
【０１８４】
そこで、本発明では、処理液として、ＨＢＳ濃度が８〜２５質量％の範囲内であるものを使用すると共に、処理液が付与される印刷用コート紙１１４として、該処理液に対するコッブ吸水度が１０秒で８〜２２ｇ／ｍ２の範囲内であるものを使用するようにしたので、２液凝集方式のインクジェット記録方法において、ＨＢＳを含有する処理液を印刷用コート紙１１４に付与する場合であっても、ＨＢＳのメリットを維持しながら、画像収縮問題、レジストレーション問題、及び紙浮き問題を解決することができる。
【手続補正１３】
【補正対象書類名】明細書
【補正対象項目名】０１８６
【補正方法】変更
【補正の内容】
【０１８６】
［実施例Ａ］
実施例Ａは、２液凝集方式のインクジェット記録において、印刷用コート紙の処理液に対するコッブ吸水度が、画像形成にどのように影響するかを調べた試験である。
【手続補正１４】
【補正対象書類名】明細書
【補正対象項目名】０１８７
【補正方法】変更
【補正の内容】
【０１８７】
（印刷用コート紙）
図８に示すように、印刷用コート紙として、処理液に対するコッブ吸水度が異なる１１種類の用紙１〜用紙１１を用意した。用紙１〜用紙１１のコッブ吸水度の範囲は４〜３４の範囲で変化させた。なお、図８において、「ｇｓｍ」とは、用紙（支持体及びコート層を含む）の坪量（ｇ／ｍ２）を示す。
【手続補正１５】
【補正対象書類名】明細書
【補正対象項目名】０２０４
【補正方法】変更
【補正の内容】
【０２０４】
〈画像解像性〉
図９の表に示すように、印刷用コート紙のコッブ吸水度を高くしていくと、コッブ吸水度が２５（ｇ／ｍ２）までは○の評価であったが、２９（ｇ／ｍ２）で△の評価になり、３４（ｇ／ｍ２）で×の評価になった。
【手続補正１６】
【補正対象書類名】明細書
【補正対象項目名】０２０５
【補正方法】変更
【補正の内容】
【０２０５】
〈画像収縮〉
図９の表に示すように、印刷用コート紙のコッブ吸水度を高くしていくと、コッブ吸水度が６（ｇ／ｍ２）まで×の評価であり、８（ｇ／ｍ２）で△の評価になった。そして、コッブ吸水度が１０（ｇ／ｍ２）以上においては○の評価になった。
【手続補正１７】
【補正対象書類名】明細書
【補正対象項目名】０２０６
【補正方法】変更
【補正の内容】
【０２０６】
〈表裏レジ〉
図９の表に示すように、印刷用コート紙のコッブ吸水度を高くしていくと、コッブ吸水度が６（ｇ／ｍ２）まで×の評価であり、８（ｇ／ｍ２）で△の評価になった。そして、コッブ吸水度が１０〜２０（ｇ／ｍ２）の範囲で○の評価になり、コッブ吸水度が２２（ｇ／ｍ２）で△の評価になった。しかし２５（ｇ／ｍ２）以上で×の評価になった。
【手続補正１８】
【補正対象書類名】明細書
【補正対象項目名】０２０７
【補正方法】変更
【補正の内容】
【０２０７】
〈紙浮き〉
図９の表に示すように、印刷用コート紙のコッブ吸水度を高くしていくと、コッブ吸水度が２０（ｇ／ｍ２）まで○の評価であった。しかし、２２（ｇ／ｍ２）で△の評価に下がり、２５（ｇ／ｍ２）以上では×の評価になった。
【手続補正１９】
【補正対象書類名】明細書
【補正対象項目名】０２０８
【補正方法】変更
【補正の内容】
【０２０８】
以上、画像解像性、画像収縮、表裏レジ、及び紙浮きの４つの評価結果から分かるように、４つの評価結果が全て△〜○の合格ライン以上になる印刷用コート紙のコッブ吸水度の範囲は、８〜２２（ｇ／ｍ２）である。特に、コッブ吸水度の範囲が１０〜２０（ｇ／ｍ２）の印刷用コート紙の場合には、４つの評価の全てが○となった。
【手続補正２０】
【補正対象書類名】明細書
【補正対象項目名】０２０９
【補正方法】変更
【補正の内容】
【０２０９】
［実施例Ｂ］
実施例Ｂは、２液凝集方式のインクジェット記録において、印刷用コート紙のコッブ吸水度を固定し、処理液中のＨＢＳ濃度を変えたときに、画像解像性、画像収縮、表裏レジ、及び紙浮きの４つの評価結果に与える影響を試験したものである。
【手続補正２１】
【補正対象書類名】明細書
【補正対象項目名】０２１６
【補正方法】変更
【補正の内容】
【０２１６】
［実施例のまとめ］
図１３は、実施例Ａと実施例Ｂとの結果において画像解像性、画像収縮、表裏レジ、及び紙浮きの４つの評価結果が合格ラインである△〜○の評価を満足するコッブ吸水度とＨＢＳ濃度とを示した図である。
【手続補正２２】
【補正対象書類名】明細書
【補正対象項目名】０２１７
【補正方法】変更
【補正の内容】
【０２１７】
図１３から分かるように、処理液中のＨＢＳ濃度が８〜２５質量％と、処理液に対する印刷用コート紙のコッブ吸水度が８〜２２（ｇ／ｍ２）と、が重なる斜線部分は、画像解像性、画像収縮、表裏レジ、及び紙浮きの４つの評価項目の全てが合格ライン以上の△〜○の評価を得ることができる。特に、処理液中のＨＢＳ濃度が１０〜２０質量％と、処理液に対する印刷用コート紙のコッブ吸水度が１０〜２０（ｇ／ｍ２）とが重なる網目部分では、評価項目の全てが○の評価となった。
【手続補正２３】
【補正対象書類名】明細書
【補正対象項目名】０２１８
【補正方法】変更
【補正の内容】
【０２１８】
したがって、凝集剤を含有すると共に溶媒として水溶性高沸点溶媒を含む処理液を印刷用コート紙上に付与する処理液付与工程と、印刷用コート紙に付与された処理液を乾燥する処理液乾燥工程と、処理液が乾燥された印刷用コート紙上に、該処理液によって凝集するインクの液滴を打滴して画像を形成するインク打滴工程と、を備え、処理液として、ＨＢＳ（水溶性高沸点溶媒）の濃度が８〜２５質量％の範囲内であるものを使用すると共に、処理液が付与される印刷用コート紙として、該処理液に対するコッブ吸水度が１０秒で８〜２２ｇ／ｍ２の範囲内であるものを使用することにより、ＨＢＳを含有する処理液を印刷用コート紙に付与する場合であっても、ＨＢＳのメリットを維持しながら、画像収縮問題、レジストレーション問題、及び紙浮き問題を解決できることが分かった。
【手続補正２４】
【補正対象書類名】明細書
【補正対象項目名】０２１９
【補正方法】変更
【補正の内容】
【０２１９】
特には、処理液として、ＨＢＳ（水溶性高沸点溶媒）の濃度が１０〜２０質量％の範囲内であるものを使用すると共に、処理液が付与される印刷用コート紙として、該処理液に対するコッブ吸水度が１０秒で１０〜２０ｇ／ｍ２の範囲内であるものを使用することが好ましいことも分かった。
【手続補正２５】
【補正対象書類名】明細書
【補正対象項目名】０２２０
【補正方法】変更
【補正の内容】
【０２２０】
【図１】本発明のインクジェット記録装置の一態様を示す全体構成図
【図２】インク吐出ヘッドの構成例を示す平面透視図
【図３】インク室ユニットの立体的構成を示す断面図
【図４】図１に示すインクジェット記録装置のシステム構成を示す要部ブロック図
【図５】従来の画像収縮、表裏レジ、紙浮きのメカニズムを説明する説明図
【図６】紙浮きを説明する説明図
【図７】両面レジを説明する説明図
【図８】実施例Ａで使用した印刷用コート紙のコッブ吸水度を示す表図
【図９】実施例Ａの試験結果を示す表図
【図１０】実施例Ｂで使用した処理液Ａ〜Ｋの組成を示す表図
【図１１】実施例Ｂの試験結果を示す表図
【図１２】実施例Ｃの試験結果を示す表図
【図１３】本発明におけるコッブ吸水度の範囲とＨＢＳ濃度の範囲を説明する説明図
【手続補正２６】
【補正対象書類名】図面
【補正対象項目名】図１３
【補正方法】変更
【補正の内容】
【図１３】
2010099968.tif 000001